(57)【要約】【課題】  複数の光ノードに効率的に電力を供給可能なＣＡＴＶシステム、及び、そのＣＡＴＶシステムに利用される接続器を提供する。【解決手段】  ＣＡＴＶシステム１Ａは光・同軸ハイブリッド型のものであり、ヘッドエンド３に光伝送路９を介して接続され第１及び第２の加入者宅５Ａ，５Ｂに第１及び第２の同軸ケーブル１９Ａを介して接続される第１及び第２の光ノード１１Ａ，１１Ｂと、第１の光ノード１１Ａに接続されており電力を供給する電源供給器２５と、第１及び第２の同軸ケーブルが接続される接続器とを備え、第１及び第２の光ノードは光伝送路からの光信号を電気信号に変換して同軸ケーブルに出力し、同軸ケーブルからの電気信号を光信号に変換して光伝送路に出力し、第１の光ノードは電源供給器から供給される電力の一部を第１の同軸ケーブルに出力し、接続器は第１の同軸ケーブルから入力される電力を選択的に第２の同軸ケーブルに出力する。【選択図】  図１
2006229491.tif 000002
【特許請求の範囲】
【請求項１】
光伝送路と同軸ケーブルとを介してヘッドエンドと複数の加入者宅とが接続される光・同軸ハイブリッド型のＣＡＴＶシステムであって、
前記ヘッドエンドに前記光伝送路を介して接続されると共に、前記加入者宅のうちの第１の加入者宅に第１の同軸ケーブルを介して接続される第１の光ノードと、
前記ヘッドエンドに前記光伝送路を介して接続されると共に、前記加入者宅のうちの第２の加入者宅に第２の同軸ケーブルを介して接続される第２の光ノードと、
前記第１の光ノードに接続されており、電力を供給する電源供給器と、
前記第１の同軸ケーブルと前記第２の同軸ケーブルとが接続される接続器と、
を備え、
前記第１及び第２の光ノードは、前記光伝送路から入力される光信号を電気信号に変換して前記第１及び第２の同軸ケーブルに出力すると共に、前記第１及び第２の同軸ケーブルから入力される電気信号を光信号に変換して前記光伝送路に出力し、
前記第１の光ノードは、前記電源供給器から供給される電力の一部を前記第１の同軸ケーブルに出力し、
前記接続器は、前記第１の同軸ケーブルから入力される電力を選択的に前記第２の同軸ケーブルに出力することを特徴とするＣＡＴＶシステム。
【請求項２】
前記ヘッドエンドに前記光伝送路を介して接続されると共に、前記加入者宅のうちの第３の加入者宅に第３の同軸ケーブルを介して接続される第３の光ノードを更に備え、
前記第３の光ノードは、前記光伝送路から入力される光信号を電気信号に変換して前記第３の同軸ケーブルに出力すると共に、前記第３の同軸ケーブルから入力される電気信号を光信号に変換して前記光伝送路に出力し、
前記接続器には、前記第３の同軸ケーブルが更に接続されており、
前記接続器は、前記第１の同軸ケーブルから入力される電力を選択的に前記第２及び第３の同軸ケーブルに出力することを特徴とする請求項１に記載のＣＡＴＶシステム。
【請求項３】
前記接続器は、１ＭＨｚより低い周波数成分を有する電力を選択的に通すフィルタ回路部を有することを特徴とする請求項１又は２に記載のＣＡＴＶシステム。
【請求項４】
光伝送路及び同軸ケーブルが接続されており、前記光伝送路から入力される光信号を電気信号に変換して前記同軸ケーブルに出力すると共に、前記同軸ケーブルから入力される電気信号を光信号に変換して前記光伝送路に出力する複数の光ノードを有しており、前記光ノードのうちの１つの光ノードは、供給される電力の一部をその光ノードに接続された同軸ケーブルに出力するＣＡＴＶシステムに利用される接続器であって、
前記光ノードの各々に接続された同軸ケーブルに接続される複数の入出力端子と、
前記入出力端子に接続されており、前記入出力端子のうちの１つの入出力端子から入力される電力を選択的に通すフィルタ回路部と、
前記入出力端子の各々に接続されており、前記フィルタ回路部に並列に設けられると共に、前記同軸ケーブルから入力される前記電気信号を終端する終端回路部とを備えることを特徴とする接続器。
【請求項５】
前記フィルタ回路部は、前記入出力端子のうちの一つの入出力端子に接続された同軸ケーブルから入力される電力を、他の入出力端子に接続された同軸ケーブルに分配して出力することを特徴とする請求項４に記載の接続器。
【請求項６】
前記フィルタ回路部は、１ＭＨｚより低い周波数成分を有する電力を選択的に通すことを特徴とする請求項４又は５に記載の接続器。
【発明の詳細な説明】
【技術分野】
【０００１】
本発明は、ＣＡＴＶシステム、及び、そのＣＡＴＶシステムに用いられる接続器に関するものである。
【背景技術】
【０００２】
近年、ＣＡＴＶシステムにおいて、ケーブルインターネットやケーブルテレビ電話などを実現するために、ヘッドエンドと加入者宅とを繋ぐ伝送路を、光信号を伝送する光伝送路と、電気信号を伝送する同軸ケーブルとを組み合わせて構成する光・同軸ハイブリッド型のものが知られている。この光・同軸ハイブリッド型のＣＡＴＶシステムでは、ヘッドエンドに接続された幹線上に光ノードが設けられており、光ノードが担当するサービスエリアとしてのセルに含まれる複数の加入者宅と光ノードとが同軸ケーブルによって接続されている。この光ノードには、電源供給器が接続されており、電源供給器から供給される電力によって、光ノードは、光伝送路から入力される光信号を電気信号に変換して同軸ケーブルに出力する。
【特許文献１】特開平９−１０２７６１号公報
【発明の開示】
【発明が解決しようとする課題】
【０００３】
ところで、１つのヘッドエンドが担当するサービスエリアが加入者宅数に応じて分割され、単位サービスエリアとしての複数のセルを有する場合、従来のＣＡＴＶシステムの構成では、各セル内に設置された光ノード毎に電源供給器を設けることになる。そのため、セル数に対応した数の電源供給器が必要となり、結果として、各光ノードに効率的に電力の供給ができていないという問題点があった。
【０００４】
そこで、本発明は、複数の光ノードに効率的に電力を供給可能なＣＡＴＶシステム、及び、そのＣＡＴＶシステムに利用される接続器を提供することを目的とする。
【課題を解決するための手段】
【０００５】
上記課題を解決するために、本発明に係るＣＡＴＶシステムは、光伝送路と同軸ケーブルとを介してヘッドエンドと複数の加入者宅とが接続される光・同軸ハイブリッド型のＣＡＴＶシステムであって、ヘッドエンドに光伝送路を介して接続されると共に、加入者宅のうちの第１の加入者宅に第１の同軸ケーブルを介して接続される第１の光ノードと、ヘッドエンドに光伝送路を介して接続されると共に、加入者宅のうちの第２の加入者宅に第２の同軸ケーブルを介して接続される第２の光ノードと、第１の光ノードに接続されており、電力を供給する電源供給器と、第１の同軸ケーブルと第２の同軸ケーブルとが接続される接続器と、を備え、第１及び第２の光ノードは、光伝送路から入力される光信号を電気信号に変換して第１及び第２の同軸ケーブルに出力すると共に、第１及び第２の同軸ケーブルから入力される電気信号を光信号に変換して光伝送路に出力し、第１の光ノードは、電源供給器から供給される電力の一部を第１の同軸ケーブルに出力し、接続器は、第１の同軸ケーブルから入力される電力を選択的に第２の同軸ケーブルに出力することを特徴とする。
【０００６】
この構成では、電源供給器から電力が供給される第１の光ノードは、ヘッドエンドからの光信号を変換した電気信号と電源供給器からの電力の一部とを第１の同軸ケーブルに出力するので、第１の同軸ケーブルでは、電力と電気信号とが伝送される。そして、接続器には、第１及び第２の同軸ケーブルが接続されており、接続器は第１の同軸ケーブルから入力される電気信号及び電力のうちの電力を選択的に通すことから第２の同軸ケーブルに電力が供給されることになる。その結果として、第２の光ノードに電力が供給される。すなわち、ＣＡＴＶシステムでは、１つの電源供給器によって第１及び第２の光ノードに電力を供給できており、効率的に第１及び第２の光ノードへ電力を供給できる。
【０００７】
また、接続器は、第１及び第２の同軸ケーブル間において電力を選択的に通すことから、第１及び第２の同軸ケーブルによって伝送される電気信号が互いに干渉することを抑制できている。
【０００８】
また、本発明に係るＣＡＴＶシステムでは、ヘッドエンドに光伝送路を介して接続されると共に、加入者宅のうちの第３の加入者宅に第３の同軸ケーブルを介して接続される第３の光ノードを更に備え、第３の光ノードは、光伝送路から入力される光信号を電気信号に変換して第３の同軸ケーブルに出力すると共に、第３の同軸ケーブルから入力される電気信号を光信号に変換して光伝送路に出力し、接続器には、第３の同軸ケーブルが更に接続されており、接続器は、第１の同軸ケーブルから入力される電力を選択的に第２及び第３の同軸ケーブルに出力することが好ましい。
【０００９】
この構成では、接続器には、第１〜第３の同軸ケーブルが接続されており、第１の同軸ケーブルから入力される電力を第２及び第３の同軸ケーブルに選択的に出力する。これにより、第２及び第３の同軸ケーブルに接続された第２及び第３の光ノードに電力を供給できる。すなわち、１つの電源供給器によって３つの光ノードに電力を供給できるので、ＣＡＴＶシステムとして更に効率的に電力を供給できている。また、接続器は、電力を選択的に通すため、接続器に接続されている第１〜第３の同軸ケーブルから入力される電気信号が互いに干渉することが抑制されている。
【００１０】
更に、本発明に係るＣＡＴＶシステムが備える接続器は、１ＭＨｚより低い周波数成分を有する電力を選択的に通すフィルタ回路部を有することが好適である。
【００１１】
ＣＡＴＶシステムで利用される電気信号の周波数帯域は、加入者宅側からヘッドエンド側に伝送される上り信号としての電気信号と、ヘッドエンド側から加入者宅側に伝送される下り信号としての電気信号とで分けられている。具体的には、上り信号としての電気信号の周波数帯域は、例えば、１０〜５５ＭＨｚであり、下り信号としての電気信号の周波数帯域は、例えば、７０〜７７０ＭＨｚである。
【００１２】
したがって、接続器が、１ＭＨｚより低い周波数成分を有する電力を選択的に通すことによって、例えば、接続器に第１及び第２の同軸ケーブルが接続されている場合には、第２の同軸ケーブルを介して第２の光ノードに電力を供給できる一方、第１及び第２の同軸ケーブルで伝送される電気信号が互いに干渉することがより確実に抑制される。また、例えば、接続器に第１〜第３の同軸ケーブルが接続されている場合には、第２及び第３の同軸ケーブルを介して第２及び第３の光ノードに電力を供給できる一方、第１〜第３の同軸ケーブルで伝送される電気信号が互いに干渉することをより確実に抑制できる。
【００１３】
また、本発明に係る接続器は、光伝送路及び同軸ケーブルが接続されており、光伝送路から入力される光信号を電気信号に変換して同軸ケーブルに出力すると共に、同軸ケーブルから入力される電気信号を光信号に変換して光伝送路に出力する複数の光ノードを有しており、光ノードのうちの１つの光ノードは、供給される電力の一部をその光ノードに接続された同軸ケーブルに出力するＣＡＴＶシステムに利用される接続器であって、光ノードの各々に接続された同軸ケーブルに接続される複数の入出力端子と、入出力端子に接続されており、入出力端子のうちの１つの入出力端子から入力される電力を選択的に通すフィルタ回路部と、入出力端子の各々に接続されており、フィルタ回路部に並列に設けられると共に、同軸ケーブルから入力される電気信号を終端する終端回路部とを備えることを特徴とする。
【００１４】
この構成では、フィルタ回路部は電力を選択的に通すので、複数の入出力端子の１つに接続された同軸ケーブルから入力される電力を他の入出力端子から取り出すことができる。その結果、それらの入出力端子に接続される同軸ケーブルを介してその同軸ケーブルが接続されている光ノードに電力を供給することが可能である。これにより、複数の光ノードの１つに電力を供給することによって他の光ノードにも電力が供給されることになるので、ＣＡＴＶシステムが有する複数の光ノードに効率的に電力を供給できる。また、フィルタ回路部が電力を選択的に通すことから、入出力端子から入力される電気信号は終端回路部に入力されて終端されることになる。その結果として、接続器に接続された複数の同軸ケーブルの各々によって伝送される電気信号が互いに干渉することが抑制されている。
【００１５】
また、本発明に係る接続器のフィルタ回路部は、フィルタ回路部は、入出力端子のうちの一つの入出力端子に接続された同軸ケーブルから入力される電力を、他の入出力端子に接続された同軸ケーブルに分配して出力することが好ましい。この場合、複数の入出力端子のうちの一つから入力される電力を、他の入出力端子に接続された同軸ケーブルに分配して出力するため、それらの入出力端子に接続された同軸ケーブルを介してその同軸ケーブルに接続された光ノードに確実に電力を供給できる。
【００１６】
更に、本発明に係る接続器が有するフィルタ回路部は、１ＭＨｚより低い周波数成分を有する電力を選択的に通すことが好適である。
【００１７】
前述したように、通常、ＣＡＴＶシステムで利用される電気信号の周波数帯域は、例えば、上り信号としての電気信号の周波数帯域が約１０〜５５ＭＨｚであり、下り信号としての電気信号の周波数帯域が約７０〜７７０ＭＨｚである。そのため、フィルタ回路部が１ＭＨｚより低い周波数成分を有する電力を選択的に通すことによって、接続器に接続された同軸ケーブルを介して光ノードに確実に電力を供給でき、また、接続器に接続された同軸ケーブルによってそれぞれ伝送される電気信号の干渉が更に抑制できている。
【発明の効果】
【００１８】
本発明によるＣＡＴＶシステム及び接続器によれば、複数の光ノードに効率的に電力を供給することができる。
【発明を実施するための最良の形態】
【００１９】
以下、図面と共に本発明のＣＡＴＶシステム及びそのＣＡＴＶシステムに利用される接続器の好適な実施形態について説明する。なお、以下の説明においては、同一の要素には同一の符号を用いることとし、重複する説明は省略する。
【００２０】
図１に示すように、ＣＡＴＶシステム１Ａは、複数の加入者宅に放送番組等を配信すると共に、図示しないインターネット網や電話網などに接続されたヘッドエンド３を有している。そして、ＣＡＴＶシステム１Ａは、ヘッドエンド３と複数の加入者宅との間の伝送路に光伝送路と同軸ケーブルとを組み合わせた光・同軸ハイブリッド型（ＨＦＣ型）のものであり、ヘッドエンド３と複数の加入者宅との双方向通信が可能であってテレビ放送の配信のみならず、例えば、ケーブルインターネットやケーブルテレビ電話も実現可能となっている。
【００２１】
以下の説明では、ヘッドエンド側を上流側とし、加入者宅側を下流側とする。また、ヘッドエンドと加入者宅との間で送受信される放送信号、映像信号、音声信号、インターネット信号などをデータ信号と称す。下りデータ信号には、放送信号、映像信号、音声信号、インターネット信号等が主に含まれており、上りデータ信号には、インターネット信号や音声信号が主に含まれている。また、複数の加入者宅のうち後述するセル７Ａに含まれる加入者宅を第１の加入者宅５Ａと称し、セル７Ｂに含まれる加入者宅を第２の加入者宅５Ｂと称し、セル７Ｃに含まれる加入者宅を第３の加入者宅５Ｃと称す。
【００２２】
ヘッドエンド３が担当するサービスエリアは、加入者宅数に応じて単位サービスエリアとしての３つのセル７Ａ〜７Ｃに分割されている。セル７Ａ，７Ｂ，７Ｃ内には、光伝送路９によってヘッドエンド３に接続された第１の光ノード１１Ａ、第２の光ノード１１Ｂ及び第３の光ノード１１Ｃが設置されている。第１〜第３の光ノード１１Ａ〜１１Ｃは、例えば、互いに２００〜１０００ｍ程度離して配置されており、第１〜第３の光ノード１１Ａ〜１１Ｃが担当するセル７Ａ〜７Ｃ内の第１〜第３の加入者宅５Ａ〜５Ｃの数は、例えば、１０〜２０００件である。
【００２３】
光伝送路９は、ヘッドエンド３に接続された光ケーブル１３と、光ケーブル１３から分岐した光ケーブル１５Ａ，１５Ｂ，１５Ｃを有する。光ケーブル１３上には光合分波器としての光カプラが収納された３つの光クロージャ１７Ａ，１７Ｂ，１７Ｃが設けられている。
【００２４】
光クロージャ１７Ａには、一端が第１の光ノード１１Ａに接続された光ケーブル１５Ａが接続されている。また、光クロージャ１７Ｂには、一端が第２の光ノード１１Ｂに接続された光ケーブル１５Ｂが接続されている。更に、光クロージャ１７Ｃには、一端が第３の光ノード１１Ｃに接続された光ケーブル１５Ｃが接続されている。
【００２５】
なお、各光ケーブル１３，１５Ａ〜１５Ｃは、上りデータ信号用の光ファイバ及び下りデータ信号用の光ファイバを有しているとしてもよいし、双方向に対して１本の光ファイバを有するとしてもよい。
【００２６】
この構成では、ヘッドエンド３が光ケーブル１３に出力した下りデータ信号としての光信号は、各光クロージャ１７Ａ〜１７Ｃによって光分岐されて各光ケーブル１５Ａ〜１５Ｃを介して第１〜第３の光ノード１１Ａ〜１１Ｃに入力されることになる。また、第１〜第３の光ノード１１Ａ〜１１Ｃが光ケーブル１５Ａ〜１５Ｃに出力した上りデータ信号としての光信号は、光クロージャ１７Ａ〜１７Ｃ及び光ケーブル１３を介してヘッドエンド３に入力されることになる。
【００２７】
次に、各セル７Ａ〜７Ｃ内のネットワークについて説明する。セル７Ａ内に設置された第１の光ノード１１Ａには、複数の第１の同軸ケーブル１９Ａが接続されている。第１の光ノード１１Ａは、光ケーブル１５Ａから入力された光信号を電気信号に変換して、各第１の同軸ケーブル１９Ａに出力する。また、第１の光ノード１１Ａは、各第１の同軸ケーブル１９Ａから入力される電気信号を光信号に変換して光ケーブル１５Ａに出力する。
【００２８】
各第１の同軸ケーブル１９Ａ上には、光分岐器としての複数のタップオフ２１Ａが設けられており、タップオフ２１Ａと第１の加入者宅５Ａとは引き込み線としての同軸ケーブル２３Ａによって接続されている。これにより、第１の光ノード１１Ａと第１の加入者宅５Ａとは、第１の同軸ケーブル１９Ａ、タップオフ２１Ａ及び同軸ケーブル２３Ａを介して接続されるので、第１の光ノード１１Ａと第１の加入者宅５Ａとは、電気信号を送受信できることになる。
【００２９】
セル７Ｂ内のネットワークの構成は、セル７Ａの場合の構成と同様である。すなわち、セル７Ｂが有する第２の光ノード１１Ｂには、複数の第２の同軸ケーブル１９Ｂが接続されており、第２の同軸ケーブル１９Ｂ上に設けられた複数のタップオフ２１Ｂと第２の加入者宅５Ｂとが引き込み線としての第２の同軸ケーブル２３Ｂによって接続されている。これにより、第２の光ノード１１Ｂとセル７Ｂ内の第２の加入者宅５Ｂとは、電気信号を送受信できることになる。
【００３０】
また、セル７Ｃ内のネットワークの構成も、セル７Ａの場合の構成と同様である。すなわち、セル７Ｃが有する第３の光ノード１１Ｃには、複数の第３の同軸ケーブル１９Ｃが接続されており、第３の同軸ケーブル１９Ｃ上に設けられた複数のタップオフ２１Ｃと第３の加入者宅５Ｃとが引き込み線としての第３の同軸ケーブル２３Ｃによって接続されている。これにより、光ノード１１Ｃとセル７Ｃ内の第３の加入者宅５Ｃとは、電気信号を送受信できることになる。
【００３１】
なお、第１〜第３の加入者宅５Ａ〜５Ｃから出力される上りデータ信号としての電気信号の周波数帯域は、約１０〜５５ＭＨｚであり、第１〜第３の光ノード１１Ａ〜１１Ｃが光信号を変換して出力する下りデータ信号としての電気信号の周波数帯域は、約７０〜７７０ＭＨｚである。
【００３２】
また、図１に示すように、ＣＡＴＶシステム１Ａは、第１〜第３の光ノード１１Ａ〜１１Ｃに電力を供給するための電源供給器２５、及び、接続器としてのパワースプリッタ２７を有する。
【００３３】
電源供給器２５は、第１の光ノード１１Ａに電力供給用配線２９を利用して接続されており、第１の光ノード１１Ａに電力を直接供給する。この際、第１の光ノード１１Ａは、電源供給器２５から供給された電力の少なくとも一部を周波数５０Ｈｚ以下の交流又は直流の電源電流として電気信号に重畳して第１の同軸ケーブル１９Ａに出力する。これにより、第１の同軸ケーブル１９Ａには、電力としての電源電流と下りデータ信号としての電気信号とが一緒に伝送されることになる。そして、図１に示すように、この第１の同軸ケーブル１９Ａは、パワースプリッタ２７を介して他のセル７Ｂ，７Ｃ内のネットワークを構成する第２及び第３の同軸ケーブル１９Ｂ，１９Ｃに電気的に接続されている。
【００３４】
パワースプリッタ２７は、第１の同軸ケーブル１９Ａを流れる電源電流を、第２及び第３の同軸ケーブル１９Ｂ，１９Ｃに分配して出力する。これにより、第１の光ノード１１Ａから第１の同軸ケーブル１９Ａに出力された電源電流は、第２及び第３の同軸ケーブル１９Ｂ，１９Ｃを介して第２及び第３の光ノード１１Ｂ，１１Ｃに入力されるので、第２及び第３の光ノード１１Ｂ，１１Ｃに電力が供給されることになる。このように、電源供給器２５によって第１〜第３の光ノード１１Ａ〜１１Ｃに電力を供給することから、電源供給器２５の電源容量は、第１〜第３の光ノード１１Ａ〜１１Ｃに電力を供給可能な容量を要していればよく、例えば、３２０ＶＡ（ボルトアンペア）である。
【００３５】
また、パワースプリッタ２７は、第１〜第３の同軸ケーブル１９Ａ〜１９Ｃの各々から入力される電気信号を他の第１〜第３の同軸ケーブル１９Ａ〜１９Ｃに通さないように遮断する。これにより、各セル７Ａ〜７Ｃ内のネットワークを構成する第１〜第３の同軸ケーブル１９Ａ〜１９Ｃの各々によって伝送される電気信号が互いに干渉することがないようになっている。
【００３６】
このパワースプリッタ２７についてより詳細に説明する。
【００３７】
図２は、パワースプリッタの一例を示す回路図である。パワースプリッタ２７は、同軸ケーブルと接続される４つの入出力端子３１，３３，３５，３７と、フィルタ回路部３９と、４つの終端回路部４１，４３，４５，４７とを有している。
【００３８】
フィルタ回路部３９は、一端が各入出力端子３１〜３７に接続された４つのチョークコイル４９，５１，５３，５５を有し、各チョークコイル４９〜５５の他端は互いに電気的に接続されている。そして、各チョークコイル４９〜５５に並列にコンデンサ５７が接続されている。
【００３９】
これにより、フィルタ回路部３９は、フィルタ回路部３９が有する各チョークコイル４９〜５５とコンデンサ５７との組み合わせによって４つのローパスフィルタが構成されることになる。そして、チョークコイル４９〜５５及びコンデンサ５７は、１ＭＨｚ以上の周波数成分を有する電気信号を遮断し、１ＭＨｚより低い周波数成分を有する電源電流を通すように選択されている。従って、フィルタ回路部３９は、第１の同軸ケーブル１９Ａから入出力端子３１を通して入力される電源電流及び電気信号のうち電源電流を選択的に他の入出力端子３３〜３７に通すことになる。
【００４０】
また、終端回路部４１は、一端が入出力端子３１に接続されておりチョークコイル４９に並列に設けられたコンデンサ５９と、コンデンサ５９に直列に接続されておりコンデンサ５９と反対側の端が接地された終端抵抗６１とを有している。このコンデンサ５９は、１ＭＨｚ以上の周波数成分を有する電気信号を通すように選択されている。これにより、終端回路部４１はハイパスフィルタとして機能し、入出力端子３１から入力される上り又は下りのデータ信号としての電気信号が終端回路部４１に好適に入力されることになる。
【００４１】
そして、終端抵抗６１は、コンデンサ５９との組み合わせによって入出力端子３１から入力される電気信号が終端されるように選択されている。これにより、入出力端子３１から入力される電気信号は、終端回路部４１によって確実に終端される。
【００４２】
終端回路部４３〜４７の構成は、終端回路部４１の構成と同様であり、入出力端子３３〜３７に接続されておりチョークコイル５１〜５５に並列に設けられたコンデンサ６３〜６７と、一端がコンデンサ６３〜６７に直列に接続され他端が設置された終端抵抗６９〜７３とを有する。そして、終端回路部４３〜４７は、入出力端子３３〜３７から入力される電気信号を終端する。
【００４３】
上記構成では、入出力端子３１〜３７は互いに等価であるため、入出力端子３１〜３７に第１〜第３の同軸ケーブル１９Ａ〜１９Ｃの何れを接続してもパワースプリッタ２７の動作は同じである。そこで、図１に示すように、入出力端子３１に第１の同軸ケーブル１９Ａを接続し、入出力端子３３に第２の同軸ケーブル１９Ｂを接続し、入出力端子３５に第３の同軸ケーブル１９Ｃを接続した場合についてパワースプリッタ２７の動作について説明する。
【００４４】
前述したように第１の同軸ケーブル１９Ａには、１０ＭＨｚ以上の周波数成分を有する高周波信号としての電気信号と５０Ｈｚより低い周波数成分を有する電源電流が伝送されるので、入出力端子３１には、電気信号と電源電流とが一緒に入力される。入出力端子３１の後段には、チョークコイル４９とコンデンサ５９とが並列に設けられていることから、電気信号はチョークコイル４９側には流れないでコンデンサ５９側に流れて終端される。換言すれば、入出力端子３１〜３７を電気的に接続するフィルタ回路部３９によって電気信号は遮断されるので、入出力端子３１から入力された電気信号は、他の入出力端子３３〜３７には流れない。
【００４５】
一方、電源電流が有する周波数成分は１ＭＨｚより低いため、チョークコイル４９側に流れることから、電源電流は、フィルタ回路部３９に選択的に入力される。そして、フィルタ回路部３９内において、チョークコイル４９の他端には、入出力端子３３，３５に接続されたチョークコイル５１，５５が接続されているので、電源電流は、チョークコイル４９を通過した後、入出力端子３３，３５にそれぞれ分配されて第２及び第３の同軸ケーブル１９Ｂ，１９Ｃに出力される。
【００４６】
また、第２及び第３の同軸ケーブル１９Ｂ，１９Ｃから入出力端子３３，３５を通して入力される電気信号は、入出力端子３１から入力される電気信号と同様に、フィルタ回路部３９には入力されずに（フィルタ回路部３９によって遮断されて）終端回路部４３，４５にそれぞれ入力される。すなわち、同軸ケーブル１９Ｂ，１９Ｃから入出力端子３３，３５を通して入力される電気信号は、入出力端子３１から入力される電気信号と同様に、パワースプリッタ２７内で遮断されることになる。
【００４７】
図１に示すように、ＣＡＴＶシステム１Ａでは、このパワースプリッタ２７を利用して、第１〜第３の同軸ケーブル１９Ａ〜１９Ｃを互いに電気的に接続し、第１の同軸ケーブル１９Ａによって伝送される電源電流を第２及び第３の同軸ケーブル１９Ｂ，１９Ｃを通して第２及び第３の光ノード１１Ｂ，１１Ｃに入力している。これにより、１つの電源供給器２５によって第１〜第３の光ノード１１Ａ〜１１Ｃに電力を供給することができることから、第１〜第３の光ノード１１Ａ〜１１Ｃへの効率的な給電が実現されている。この場合、第１〜第３の光ノード１１Ａ〜１１Ｃの各々に電源供給器を設ける場合に比べて電源供給器の数が減少するので、ＣＡＴＶシステム１Ａの構築に伴うコストが低減する。
【００４８】
ところで、通常、上りデータ信号には、第１〜第３の加入者宅５Ａ〜５Ｃを互いに区別するための識別信号が付与されている。そのため、電力を供給するために、仮に、第１〜第３の同軸ケーブル１９Ａ〜１９Ｃを、電気信号も通過可能なように電気的に接続すると、第１〜第３の加入者宅５Ａ〜５Ｃの各々から出力された電気信号が干渉し、どのセル内のどの加入者宅から出力された電気信号か判別できない虞がある。
【００４９】
これに対して、パワースプリッタ２７は、１ＭＨｚより低い周波数成分を有する電源電流を選択的に通し、１ＭＨｚ以上の周波数成分を有する電気信号を遮断するので、第１〜第３の同軸ケーブル１９Ａ〜１９Ｃの各々によって伝送される電気信号が干渉することがない。従って、どのセル内のどの加入者宅から出力された電気信号かを確実に特定することができる。そのため、光伝送路９及び第１〜第３の同軸ケーブル１９Ａ〜１９Ｃを介してインターネット信号などを伝送しても、各セル７Ａ〜７Ｃ内の第１〜第３の加入者宅５Ａ〜５Ｃとヘッドエンド３との双方向通信が確実にできる。
【００５０】
（第２の実施形態）
図３は、本発明に係るＣＡＴＶシステムの他の実施形態を示すブロック図である。ＣＡＴＶシステム１Ｂの構成は、セル７Ｄ及びパワースプリッタ７５を有する点で、図１に示したＣＡＴＶシステム１Ａの構成と主に相違する。この点を中心にしてＣＡＴＶシステム１Ｂについて説明する。
【００５１】
ヘッドエンド３が担当するサービスエリアは、加入者宅数に応じて単位サービスエリアとしての３つのセル７Ａ、セル７Ｂ、セル７Ｄに分割されている。
【００５２】
そして、セル７Ｄ内のネットワークの構成は、セル７Ａの場合と同様の構成を有している。すなわち、第４の光ノード１１Ｄに複数の第４の同軸ケーブル１９Ｄが接続されており、第４の同軸ケーブル１９Ｄ上に設けられた複数のタップオフ２１Ｄと第４の加入者宅５Ｄとが引き込み線としての同軸ケーブル２３Ｄによって接続されている。これにより、第４の光ノード１１Ｄと第４の加入者宅５Ｄとが電気信号を送受信できることになっている。また、第４の光ノード１１Ｄには、光ケーブル１３上に設けられた光クロージャ１７Ｄに一端が接続された光ケーブル１５Ｄが接続されており、ヘッドエンド３と第４の光ノード１１Ｄとは、データ信号としての光信号を送受信できるようになっている。
【００５３】
ＣＡＴＶシステム１Ｂにおいて、第１の同軸ケーブル１９Ａと第４の同軸ケーブル１９Ｄとは、パワースプリッタ７５によって電気的に接続されている。このパワースプリッタ７５の構成は、図１及び図２に示したパワースプリッタ２７の構成と同じであるため、説明を省略する。第１の同軸ケーブル１９Ａ及び第４の同軸ケーブル１９Ｄは、パワースプリッタ７５が有する入出力端子３３，３１にそれぞれ接続されている。
【００５４】
このＣＡＴＶシステム１Ｂでは、ＣＡＴＶシステム１Ａの場合と同様に、第１の同軸ケーブル１９Ａによって伝送される電源電流は、パワースプリッタ２７を通して第２の同軸ケーブル１９Ｂに入力される。また、第１の同軸ケーブル１９Ａによって伝送される電源電流は、パワースプリッタ７５を通して第４の同軸ケーブル１９Ｄに入力される。そのため、１つの電源供給器２５によって第１の光ノード１１Ａ，第２の光ノード１１Ｂ、第３の光ノード１１Ｄにも確実に電力を供給できることになる。
【００５５】
また、パワースプリッタ２７，７５は電気信号を遮断するので、電力を供給するためにパワースプリッタ２７，７５を利用して第１の同軸ケーブル１９Ａ、第２の同軸ケーブル１９Ｂ及び第４の同軸ケーブル１９Ｄを互いに電気的に接続してもそれらによってそれぞれ伝送される電気信号は互いに干渉しない。そのため、上りデータ信号がどのセルの加入者宅から出力されたものか確実に特定することが可能である。
【００５６】
以上、本発明の好適な実施形態について説明したが、本発明は上記実施形態に限定されない。例えば、接続器（パワースプリッタ２７）は、４つの入出力端子３１〜３７を有するとしたが、入出力端子の数は２以上であれば特に限定されない。そして、入出力端子の数に応じてチョークコイルの数や終端回路部の数を変えればよい。
【００５７】
また、フィルタ回路部３９では、４つのチョークコイル４９〜５５に対して１つのコンデンサ５７を設けているが、チョークコイル４９〜５５毎にコンデンサを設けてもよい。更に、ＣＡＴＶシステム１Ａ（１Ｂ）では、ヘッドエンド３のサービスエリアが３つのセル７Ａ〜７Ｃ（７Ａ，７Ｂ，７D）に分割されているとしたが、１つのヘッドエンド３に対するセルの数は特に限定されず、ヘッドエンド３が担当するサービスエリアの加入者宅数に応じて変えればよい。
【００５８】
例えば、ＣＡＴＶシステム１Ａにおいて、他の光ノードを更に設ける場合には、その光ノードに接続された同軸ケーブルは、パワースプリッタ２７の入出力端子３７に接続することも可能である。また、ＣＡＴＶシステム１Ｂにおいて、他の光ノードを更に設ける場合には、その光ノードに接続された同軸ケーブルは、パワースプリッタ２７，５７の入出力端子３５，３７に接続することもできる。
【００５９】
更に、接続器の数は、光ノードの数に応じて変えればよく、また、ＣＡＴＶシステム１Ａ及びＣＡＴＶシステム１Ｂに示すように、光ノードの配置や接続器への同軸ケーブルの接続の仕方などに応じて変えればよい。
【００６０】
更にまた、第１〜第４の光ノード１１Ａ〜１１Ｄの構成は同じとしたが、例えば、第２〜第４の光ノード１１Ｂ〜１１Ｄには、電力としての電源電流を電気信号に重畳して出力する機能はなくてもよい。
【００６１】
また、第１〜第４の同軸ケーブル１９Ａ〜１９Ｄには、タップオフ２１Ａ〜２１Ｄが設けられているとしたが、更に他の中継器などが設けられていても良く、ＣＡＴＶシステム１Ａ，１Ｂでは、第１〜第４の同軸ケーブル１９Ａ〜１９Ｄ上に設けられた中継器への電力も供給可能である。
【００６２】
更に、接続器としてのパワースプリッタ２７，７５が有するフィルタ回路部３９は、電気信号を遮断するとしたが、画像障害等の前述した電気信号の干渉の影響がでない程度に電気信号を減衰できていればよい。
【図面の簡単な説明】
【００６３】
【図１】本発明に係るＣＡＴＶシステムの一実施形態の構成を示すブロック図である。
【図２】本発明に係る接続器の一実施形態の構成を示す回路図である。
【図３】本発明に係るＣＡＴＶシステムの他の実施形態の構成を示すブロック図である。
【符号の説明】
【００６４】
１Ａ，１Ｂ…ＣＡＴＶシステム、３…ヘッドエンド、５Ａ…第１の加入者宅、５Ｂ…第２の加入者宅、５Ｃ…第３の加入者宅、９…光伝送路、１１Ａ…第１の光ノード、１１Ｂ…第２の光ノード，１１Ｃ…第３の光ノード、２１Ａ〜２１Ｃ…タップオフ分岐器、２３Ａ〜２３Ｃ…加入者宅への引込同軸ケーブル、２５…電源供給器、２７，７５…パワースプリッタ（接続器）、３１，３３，３５，３７…入出力端子、３９…フィルタ回路部、４１，４３，４５，４７…終端回路部。
【図１】
2006229491.tif 000003
【図２】
2006229491.tif 000004
【図３】
2006229491.tif 000005